(57)【要約】【課題】過酷な環境下においても電気的導通を失わずに簡易かつ容易に接続可能なコネクタを提供することである。【解決手段】電気コネクタ１００においては、オスハウジング４００にメスハウジング２００が嵌合される。メスハウジング２００には、オスハウジング４００の嵌合方向と垂直方向に案内溝２１０が形成されており、当該案内溝２１０には、掛け止め金具３００が配設される。また、メスハウジング２００の当該案内溝２１０には、開口部２２２が形成されており、掛け止め金具３００の掛け留め部３１５がオスハウジング４００に対して突出可能に設けられている。メスハウジング２００にオスハウジング４００が嵌挿される場合、メスハウジング２００の開口部２２２からオスハウジング４００側に掛け止め部３１５が突出される。オスハウジング４００に形成された所定の傾斜面４１０ａにより掛け止め部３１５が係止される。【選択図】図１
2008071677.tif 000002
【特許請求の範囲】
【請求項１】
第１接続端子を支持するメス型の第１ハウジングと、
前記第１接続端子と電気的に接続される第２接続端子を支持するとともに、前記第１ハウジングに嵌挿されて前記第１ハウジングと嵌合するオス型の第２ハウジングと、
前記第１ハウジングと前記第２ハウジングとが嵌合する方向と直交する一方向に延在して前記第１ハウジングに形成された溝に掛け止められ、かつ前記嵌合する方向および前記溝の方向のいずれにも直交する方向に沿って前記第２ハウジングに付勢する凸形状の係止部が形成された掛け止め金具と、を含み、
前記第１ハウジングは、
前記溝内に、前記掛け止め金具の係止部が前記第２ハウジング側に係止するため突出可能な開口部を有し、
前記第２ハウジングは、
前記第１ハウジングとの嵌合時に第１ハウジングの開口部から突出した前記掛け止め金具の係止部を係止させる所定の傾斜面を有し、
前記掛け止め金具は、
弾性体からなり、前記第２ハウジングが前記第１ハウジングに嵌合される場合に、前記係止部を前記開口部から突出させて弾性力により前記所定の傾斜面に当接することを特徴とするコネクタ。
【請求項２】
前記所定の傾斜面は、前記第１ハウジングおよび前記第２ハウジングの成型における寸法公差、または経時変化において、前記第２ハウジングが前記第１ハウジングに嵌合される場合に、前記係止部を前記開口部から突出させて弾性力により前記所定の傾斜面に当接させることを特徴とするコネクタ。
【発明の詳細な説明】
【技術分野】
【０００１】
本発明は、過酷な環境下においても電気的導通が可能なコネクタに関するものである。
【背景技術】
【０００２】
近年、自動車等の車両に用いられる動力源（例えば、エンジン）において、燃費低減または排気ガス規制等に対応するため種々の電子制御が用いられている。これらの電子制御を行うには、主にセンサ、アクチュエータ、制御装置（例えば、エレクトロニック・コントロール・ユニット：ＥＣＵ）、機器間を接続するためのケーブルおよび電気コネクタ等が必要となる。
【０００３】
しかしながら、動力源、特に直噴式のエンジン等の近傍においては、電気コネクタにとって過酷な環境下となる。すなわち、これらの動力源の近傍では、高加速度振動が生じるため、電気コネクタのハウジングが磨耗または欠損しやすく、電気コネクタの耐久性を維持することが困難であった。また、動力源の高加速度振動が電気コネクタ自体の固有振動数と一致した場合、電気コネクタ自身が機械的共振状態に陥いるため、さらに耐久性を維持することが困難であった。
【０００４】
そのため、高加速度振動が生じる環境下において電気コネクタを使用する場合には、高加速度振動の影響が少ない部分まで引き出しケーブルで引き出してから電気コネクタを使用し、再び引き出しケーブルで高加速度振動が生じる環境下に戻す方法を採用している。
【０００５】
【特許文献１】特開２００４−１７１９１１号公報
【発明の開示】
【発明が解決しようとする課題】
【０００６】
しかしながら、引き出しケーブルを用いて電気コネクタを設けることは、部品点数を増加させることとなる。その結果、各部品の接合部に隙間が生じ、電気コネクタの耐振動性を低下させる要因となる。
【０００７】
また、開示されたコネクタ（特許文献１参照）においては、コネクタを嵌合させた後にスペーサを挿入させる必要があるため、コネクタを接続するのに複数の接続工程が必要となる。そのため、コネクタの設置個数が多くなればなるほど接続に係る工数も増加する。
【０００８】
本発明の目的は、過酷な環境下においても電気的導通を失わずに簡易かつ容易に接続可能なコネクタを提供することである。
【０００９】
本発明の他の目的は、耐高加速度振動性を有するとともに、軽量でかつ小型化可能なコネクタを提供することである。
【課題を解決するための手段及び効果】
【００１０】
（１）
本発明に係るコネクタは、第１接続端子を支持するメス型の第１ハウジングと、第１接続端子と電気的に接続される第２接続端子を支持するとともに、第１ハウジングに嵌挿されて第１ハウジングと嵌合するオス型の第２ハウジングと、第１ハウジングと第２ハウジングとが嵌合する方向と直交する一方向に延在して第１ハウジングに形成された溝に掛け止められ、かつ嵌合する方向および溝の方向のいずれにも直交する方向に沿って第２ハウジングに付勢する凸形状の係止部が形成された掛け止め金具と、を含み、第１ハウジングは、溝内に掛け止め金具の係止部が第２ハウジング側に係止するため突出可能な開口部を有し、第２ハウジングは、第１ハウジングとの嵌合時に第１ハウジングの開口部から突出した掛け止め金具の係止部を係止させる所定の傾斜面を有し、掛け止め金具は、弾性体からなり、第２ハウジングが第１ハウジングに嵌合される場合に、係止部を開口部から突出させて弾性力により所定の傾斜面に当接するものである。
【００１１】
本発明に係るコネクタにおいては、第２ハウジングに第１ハウジングが嵌合される。第１ハウジングには、第２ハウジングの嵌合方向と垂直方向に溝が形成されており、当該溝には、掛け止め金具が配設される。また、第１ハウジングの当該溝には、開口部が形成されており、掛け止め金具の係止部が第２ハウジングに対して突出可能に設けられている。第１ハウジングに第２ハウジングが嵌挿される場合、第１ハウジングの開口部から第２ハウジング側に係止部が突出される。第２ハウジングに形成された所定の傾斜面により係止部が係止される。
【００１２】
この場合、第１ハウジングの溝に掛け止め金具が係止されるので、第１ハウジングと掛け止め金具とが一体化される。また、掛け止め金具の係止部が弾性力により第１ハウジングの開口部から第２ハウジング側に突出する。その結果、第１ハウジングに第２ハウジングが嵌挿される場合、第２ハウジングに形成された所定の傾斜面に掛け止め金具の係止部が係止される。したがって、第１ハウジングおよび第２ハウジングの嵌合が、経時変化により変化した場合でも、所定の傾斜面で掛け止め金具を係止するので、所定の傾斜面の長さに応じた分だけ係止部を係止し続けることができ、誤差または寸法公差を吸収することができる。以上により、当該コネクタは、誤差または寸法公差があっても長期的に一体性を保持することができ、長期において安定した導通を行うことができる。
【００１３】
（２）
所定の傾斜面は、第１ハウジングおよび第２ハウジングの成型における寸法公差、または経時変化において、第１ハウジングが第２ハウジングに嵌合される場合に、係止部を開口部から突出させて弾性力により所定の傾斜面に当接させるものである。
【００１４】
この場合、所定の傾斜面は、成型における寸法公差、または経時変化の最大値および最小値のうち最も大きな値の状態と最も小さな値の状態における嵌合の長さに応じて形成される。その結果、所定の傾斜面に常に弾性力による付勢を行うことができるので、長期的に一体性を保持することができ、長期において安定した導通を行うことができる。
【発明を実施するための最良の形態】
【００１５】
以下、本発明に係る実施の形態について説明する。実施の形態においては、コネクタの一例として、電気コネクタを例示する。
（一実施の形態）
図１は、本発明の一実施の形態に係る電気コネクタ１００の一例を示す模式的斜視図である。
【００１６】
図１に示すように、本実施の形態に係る電気コネクタ１００は、メスハウジング２００、掛け止め金具３００およびオスハウジング４００を含む。
【００１７】
図１に示すように、メスハウジング２００には、メスハウジング２００とオスハウジング４００とが嵌合する方向（図中矢印Ｘの方向）に垂直な方向（図中矢印Ｚの方向）に平行な案内溝２１０が設けられている。このメスハウジング２００の案内溝２１０に掛け止め金具３００が（図中矢印Ｚ方向から−Ｚ方向へ向かって）圧挿される。
【００１８】
図１のメスハウジング２００の内部には、一対の第１接続端子２０１ａ，２０１ｂ（図２参照）が設けられている。同じく、オスハウジング４００の内部には、一対の第２接続端子４０１ａ，４０１ｂ（図３参照）が設けられている。
【００１９】
一方、オスハウジング４００の内部に設けられた第２接続端子４０１ａ，４０１ｂには、電気的配線が接続されている（図３参照）。
【００２０】
詳細については後述するが、オスハウジング４００にメスハウジング２００が嵌挿されて嵌合することにより、第１接続端子２０１ａおよび第２接続端子４０１ａと、第１接続端子２０１ｂおよび第２接続端子４０１ｂとがそれぞれ接合し、電気的導通が図られる。
【００２１】
次に、掛け止め金具３００を備えたメスハウジング２００およびオスハウジング４００の形状について詳細に説明する。続いて、掛け止め金具３００が取り付けられたメスハウジング２００にオスハウジング４００が嵌挿され、嵌合する状態について説明する。
【００２２】
図２は、掛け止め金具３００を備えたメスハウジング２００の形状を説明するための模式図である。（ａ）はメスハウジング２００の正面図を示し、（ｂ）はメスハウジング２００の上面図を示し、（ｃ）はメスハウジング２００の側面図を示し、（ｄ）はメスハウジング２００の外観を斜視した図を示す。
【００２３】
図２に示すメスハウジング２００は、後述するオスハウジング４００（図３参照）の略四角柱筒形状を外包する略四角柱筒形状を有する。
【００２４】
図２（ａ）に示すように、メスハウジング２００の内部には、第１接続端子２０１ａ，２０１ｂが設けられている。本実施の形態に係る電気コネクタ１００の極数は、２極である。そのため、第１接続端子２０１ａ，２０１ｂが２つ並んで設けられている。
【００２５】
図２（ａ）に示すように、メスハウジング２００の内部には、長方形リブ２０２とＴ字リブ２０３とが形成されている。これらの長方形リブ２０２とＴ字リブ２０３とには、それぞれテーパ形状が形成されている。このテーパ形状は、第１接続端子２０１ａ，２０１ｂおよび後述するオスハウジング４００の第２接続端子４０１ａ，４０１ｂとの嵌挿をスムーズにさせるとともに、嵌合時に長方形リブ２０２とＴ字リブ２０３と、後述するオスハウジング４００の長方形溝４０２およびＴ字溝４０３との密着度を向上させるために設けられる。
【００２６】
さらに、これらの長方形リブ２０２とＴ字リブ２０３との形状は、オスハウジング４００とメスハウジング２００との逆嵌合を防止するために設けられている。すなわち、長方形リブ２０２とＴ字溝４０３とは嵌合せず、Ｔ字リブ２０３と長方形溝４０２とは嵌合しないからである。また、これらの長方形リブ２０２とＴ字リブ２０３との形状は、矢印Ｘ方向を軸としたねじれ防止効果も有する。このねじれ防止の詳細については、後述する。
【００２７】
また、図２（ａ）に示すように、メスハウジング２００の４隅には、スリットリブ２０５ａ，２０５ｂ，２０５ｃ，２０５ｄが設けられる。これらのスリットリブ２０５ａ，２０５ｂ，２０５ｃ，２０５ｄは、メスハウジング２００と後述するオスハウジング４００との嵌合完了時にオスハウジング４００のスリット４０５ａ，４０５ｂ，４０５ｃ，４０５ｄと当接するように設けられている。これらのスリットリブ２０５ａ，２０５ｂ，２０５ｃ，２０５ｄと、スリット４０５ａ，４０５ｂ，４０５ｃ，４０５ｄとの結合の詳細については後述する。
【００２８】
さらに、メスハウジング２００の各面のうち一の面には、スリット２５０ａ，２５０ｂが設けられ、他の一の面には、スリット２５０ｃ，２５０ｄが設けられ、他の一の面には、スリット２５０ｅ，２５０ｆが設けられ、他の一の面には、スリット２５０ｇ，２５０ｈ，２５０ｉが設けられる。
【００２９】
これらのスリット２５０ａ，〜，２５０ｉは、メスハウジング２００と後述するオスハウジング４００との嵌合完了時にオスハウジング４００のリブ４５０ａ，〜,４５０ｉと当接するように設けられている。
【００３０】
また、これらのリブ２０５ａ，２０５ｂ，２０５ｃ，２０５ｄおよびスリット２５０ａ，〜，２５０ｉには、中心から外側に向けて幅が狭くなるテーパ形状が設けられる。このテーパ形状の詳細については、後述する。
【００３１】
続いて、図２（ｃ）に示すように、メスハウジング２００の側面には、矢印Ｚの方向（図１参照）と平行な方向に案内溝２１０が形成されている。この案内溝２１０は、立ち壁２２０，２２１および開口部（貫通孔）２２２を含む。また、案内溝２１０のほぼ中央部に開口部２２２が設けられる。
【００３２】
続いて、図２（ｂ）,（ｃ）に示すように、矢印Ｘの方向（図１参照）のメスハウジング２００の端部には、第１接続端子２０１ａ，２０１ｂ（図２（ａ）参照）に接続されたケーブル５００が引き出されている。
【００３３】
また、図２のメスハウジング２００に備えられた掛け止め金具３００は、バネ性を有する金属により構成されている。例えば、掛け止め金具３００は、ばね鋼またはステンレス鋼などの金属材料により形成される。また、掛け止め金具３００の使用状況に応じて、コーティング処理等が施されていてもよい。例えば、掛け止め金具３００の耐候性または耐食性を向上させる場合には、亜鉛めっき、塗装またはクロメート処理等が施される。
【００３４】
また、図２（ｄ）に示すように、掛け止め金具３００は、断面が略円形の一本の部材を屈曲させることにより形成される。掛け止め金具３００には、上記の開口部２２２に対してメスハウジング２００の中心方向に弾性を有するように湾曲して形成された掛け止め部３１５（図２（ａ）参照）が設けられる。
【００３５】
掛け止め金具３００は、メスハウジング２００の案内溝２１０に沿ってＺ方向にスライド可能に設けられている。掛け止め金具３００が、Ｚ方向にスライドした場合、案内溝２１０の開口部２２２からメスハウジング２００の中央部に突出して設けられた掛け止め部３１５（図２（ａ）または図４参照）が案内溝２１０に沿って移動し、開口部２２から突出しなくなる。この動きの詳細については、後述する。
【００３６】
次に、図３は、オスハウジング４００の形状を説明するための模式図である。（ａ）はオスハウジング４００の正面図を示し、（ｂ）はオスハウジング４００の上面図を示し、（ｃ）はオスハウジング４００の側面図を示し、（ｄ）はオスハウジング４００の固定溝４１０のＸ−Ｚ平面（図１参照）における断面を示す。
【００３７】
図３に示すオスハウジング４００は、上述したメスハウジング２００の略四角柱筒形状により内包される略四角柱筒形状を有する。
【００３８】
図３（ａ）に示すように、オスハウジング４００の内部には、第２接続端子４０１ａ，４０１ｂが設けられている。図２（ａ）の第１の接続端子と同様に、本実施の形態に係る電気コネクタ１００の極数は、２極である。そのため、第２接続端子４０１ａ，４０１ｂが、２つ並んで設けられている。オスハウジング４００とメスハウジング２００との嵌合時には、第２接続端子４０１ａが、図２の第１接続端子２０１ａと接続され、第２接続端子４０１ｂが、図２の第１接続端子２０１ｂと接続される。
【００３９】
図４（ａ）に示すように、オスハウジング４００の内部には、長方形溝４０２とＴ字溝４０３とが形成されている。これらの長方形溝４０２とＴ字溝４０３とには、テーパ形状が形成されている。このテーパ形状は、第２接続端子４０１ａ，４０１ｂおよびメスハウジング２００の第１接続端子２０１ａ，２０１ｂとの嵌挿をスムーズにするとともに、嵌合時に長方形リブ２０２とＴ字リブ２０３との密着度を向上させるために設けられる。
【００４０】
さらに、オスハウジング４００とメスハウジング２００との逆嵌合を防止するため、長方形溝４０２とＴ字溝４０３との形状が異なるように設けられている。また、長方形溝４０２とＴ字溝４０３とを設けることによりメスハウジング２００とオスハウジング４００との勘合時における捩り方向の耐性を向上させることができる。
【００４１】
また、図３（ａ）に示すように、オスハウジング４００の４隅には、スリット４０５ａ，４０５ｂ，４０５ｃ，４０５ｄが設けられている。このスリット４０５ａ，４０５ｂ，４０５ｃ，４０５ｄは、オスハウジング４００とメスハウジング２００との嵌挿完了時にメスハウジング２００の内部のスリットリブ２０５ａ，２０５ｂ，２０５ｃ，２０５ｄと当接するように設けられる。
【００４２】
さらに、オスハウジング４００の各面のうち一の面には、リブ４５０ａ，４５０ｂが設けられ、他の一の面には、リブ４５０ｃ，４５０ｄ，４５０ｅが設けられ、他の一の面には、リブ４５０ｆ，４５０ｇが設けられ、他の一の面には、リブ４５０ｈ，４５０ｉが設けられる。これらのスリット４５０ａ，〜，４５０ｉは、オスハウジング４００とメスハウジング２００との嵌合完了時にメスハウジング２００のスリット２５０ａ，〜，２５０ｉと当接するように設けられている。
【００４３】
また、これらのスリット４０５ａ，４０５ｂ，４０５ｃ，４０５ｄおよびリブ４５０ａ，〜，４５０ｉには、中心から外側に向けて幅が狭くなるテーパ形状が設けられる。
【００４４】
なお、本実施の形態においては、オスハウジング４００の４隅にスリット４０５ａ，４０５ｂ，４０５ｃ，４０５ｄを設け、各面にリブ４５０ａ，〜，４５０ｉを設け、メスハウジング２００の４隅にリブ２０５ａ，２０５ｂ，２０５ｃ，２０５ｄを設け、各面にスリット２５０ａ，〜，２５０ｉを設けることとしたが、これに限定されず、オスハウジング４００とメスハウジング２００との嵌合部分に任意にリブおよびスリットを設けてもよい。
【００４５】
また、これらのリブおよびスリットの形状は、上記のテーパ形状に限定されるものではなく、オスハウジング４００およびメスハウジング２００の嵌合時に当接して密着度を高めるものであれば、他の任意の形状を有してもよい。
【００４６】
続いて、図３（ｃ），（ｄ）に示すように、オスハウジング４００には、矢印Ｚの方向（図１参照）と平行な方向に固定溝４１０が形成されている。固定溝４１０は、ＹＺ平面と平行な断面において略Ｖ字形状が形成された溝から形成されており、略Ｖ字形状の一方の傾斜が緩やかで、他方の傾斜が急に形成されている。すなわち、掛け止め金具３００がＺ方向に移動しやすく、−Ｚ方向に移動し難い状態で略Ｖ字形状が形成されている。
【００４７】
また、オスハウジング４００の端部から固定溝４１０に向かって矢印Ｘ１の方向に凸形状部４２０が設けられている。
【００４８】
図３（ｂ）に示すように、凸形状部４２０は、ＸＹ平面における断面において略台形状からなる。ここで、掛け止め金具３００を備えたメスハウジング２００およびオスハウジング４００の嵌合時に、図３（ｃ）に示す凸形状部４２０の面上をメスハウジング２００の開口部２２２から突出した掛け止め部３１５が矢印Ｘ１の方向に移動し、凸形状部４２０を超えて、固定溝４１０に滑落する。この場合、掛け止め部３１５は、掛け止め金具３００の弾性力により、固定溝４１０に落ち込む。また、作業者が掛け止め金具３００を−Ｚ方向に押下した場合には、オスハウジング４００およびメスハウジング２００が嵌合時に、掛け止め部３１５が凸形状部４２０の側部を移動し、作業者が掛け止め金具３００を−Ｚ方向に押下するのをやめた場合には、掛け止め部３１５がＺ方向に移動し、固定溝４１０に滑落する。それにより、オスハウジング４００およびメスハウジング２００の嵌合をスムーズに行なうことができる。
【００４９】
次に、図４は、掛け止め部３１５が固定溝４１０と嵌合した後の詳細を説明するための模式的断面図である。
【００５０】
図４（ａ）はメスハウジング２００およびオスハウジング４００の成形公差が最大の状態におけるメスハウジング２００とオスハウジング４００との嵌合時の断面を示し、（ｂ）は（ａ）におけるメスハウジング２００およびオスハウジング４００の経時的変化後の状態を示し、（ｃ）はメスハウジング２００およびオスハウジング４００の成形公差が最小の状態におけるメスハウジング２００とオスハウジング４００との嵌合時の断面を示す。
【００５１】
図４（ａ）に示すように、固定溝４１０は、傾斜面４１０ａ、底面４１０ｂおよび立ち壁４１０ｃからなる。
【００５２】
図４（ａ）に示すように、成形公差が最大にばらついた状態では、メスハウジング２００の開口部２２２から突出した掛け止め金具３００の掛け止め部３１５が固定溝４１０の傾斜面４１０ａに接触する状態となる。
【００５３】
この場合、掛け止め金具３００の掛け止め部３１５と傾斜面４１０ａとの間に力ＦＴおよび弾性力ＦＤが作用する。その結果、傾斜面４１０ａから底面４１０ｂに近づく方向に掛け止め部３１５が移動する方向に力が作用し、メスハウジング２００およびオスハウジング４００が完全固定される。
【００５４】
また、図４（ｂ）に示すように、成形公差が最大にばらつき、かつ経時変化後の状態においても、メスハウジング２００の開口部２２２から突出した掛け止め金具３００の掛け止め部３１５が固定溝４１０の傾斜面４１０ａに接触する状態となるように固定溝４１０が設けられている。
【００５５】
この場合、図４（ａ）と同様に、掛け止め金具３００の掛け止め部３１５と傾斜面４１０ａとの間に力ＦＴおよび弾性力ＦＤが作用する。その結果、傾斜面４１０ａから底面４１０ｂに近づく方向に掛け止め部３１５が移動する方向に力が作用し、メスハウジング２００およびオスハウジング４００が経時変化等（例えば、クリープ現象）により形状が変化した場合でも、メスハウジング２００およびオスハウジング４００が完全固定される。
【００５６】
さらに、図４（ｃ）に示すように、成形公差が最小の状態においても、メスハウジング２００の開口部２２２から突出した掛け止め金具３００の掛け止め部３１５０が固定溝４１０の傾斜面４１０ａに接触しつつ、底面４１０ｂに接触するように固定溝４１０が設けられている。
【００５７】
この場合、図４（ａ），（ｂ）と同様に、掛け止め金具３００の掛け止め部３１５と傾斜面４１０ａとの間に力ＦＴおよび弾性力ＦＤが作用する。その結果、傾斜面４１０ａから底面４１０ｂに近づく方向に掛け止め部３１５が移動する方向に力が作用し、メスハウジング２００およびオスハウジング４００が完全固定される。
【００５８】
次に、図５は、メスハウジング２００におけるスリットリブ２０５ａ，２０５ｂ，２０５ｃ，２０５ｄおよびオスハウジング４００におけるスリット４０５ａ，４０５ｂ，４０５ｃ，４０５ｄを説明するための模式図である。
【００５９】
図５（ａ）は、オスハウジング４００の嵌合面を示し、（ｂ）はメスハウジング２００の嵌合面を示し、（ｃ）はスリット４０５ｃの模式的透視を示し、（ｄ）はスリットリブ２０５ｃの模式的外観を示す。
【００６０】
図５においては、メスハウジング２００におけるスリットリブ２０５ａ，２０５ｂ，２０５ｃ，２０５ｄ（図５（ｂ）参照）のうち、スリットリブ２０５ｃおよびオスハウジング４００におけるスリット４０５ａ，４０５ｂ，４０５ｃ，４０５ｄ（図５（ａ）参照）のうちスリット４０５ｃを抽出して説明する。なお、スリットリブ２０５ａ，２０５ｂ，２０５ｃ，２０５ｄは同じ形状で形成されており、スリット４０５ａ，４０５ｂ，４０５ｃ，４０５ｄも同じ形状で形成されている。
【００６１】
図５（ｄ）に示すように、スリットリブ２０５ｃは、２つのリブ形状２９１ａおよびリブ形状２９１ｂからなる。スリットリブ２０５ｃのリブ形状２９１ａ，２９１ｂは、先端側においてスリット幅Ｈ１からなり、リブ幅Ｈ２からなり、リブ奥側においてスリット幅Ｈ３からなり、リブ幅Ｈ４からなる。
【００６２】
また、図５（ｄ）に示すように、スリット４０５ｃは、スリット入り口幅Ｈ１１からなり、スリット奥幅Ｈ１２からなる。
【００６３】
このリブ幅Ｈ２からスリット幅Ｈ１を減算した値（Ｈ２−Ｈ１）が、スリット奥幅Ｈ１１（図５（ｃ）参照）に対応する値となり、リブ幅Ｈ４からスリット幅Ｈ３を減算した値（Ｈ４−Ｈ３）が、スリット入り口幅Ｈ１２（図５（ｃ）参照）に対応する値となる。
【００６４】
このように、メスハウジング２００およびオスハウジング４００の嵌合時に、スリットリブ２０５ｃの先端側が、スリット４０５ｃの奥側において、スリット幅Ｈ１だけ圧接された状態で挿入される。
【００６５】
また、メスハウジング２００およびオスハウジング４００の嵌合時に、スリットリブ２０５ｃの奥側が、スリット４０５ｃの入り口側において、スリット幅Ｈ３だけ圧接された状態で挿入される。
【００６６】
以上により、スリットリブ２０５ｃがスリット４０５ｃにおいて、スリット幅分だけ圧接されるので、メスハウジング２００およびオスハウジング４００の嵌合が確実に堅固に行われる。
【００６７】
次に、図６は、メスハウジング２００のスリット２５０ａ，２５０ｂ，２５０ｃ，２５０ｄおよびオスハウジング４００のリブ４５０ａ，４５０ｂ，４５０ｃ，４５０ｄの詳細の一例を示す模式的説明図である。図６においては、スリット２５０ｄおよびリブ４５０ｄについて説明する。
【００６８】
図６（ａ）は、オスハウジング４００の嵌合面を示し、（ｂ）はメスハウジング２００の嵌合面を示し、（ｃ）はリブ４５０ｄの模式的外観を示し、（ｄ）はスリット２５０ｄの模式的外観を示す。
【００６９】
図６（ｃ）に示すように、オスハウジング４００のリブ４５０ｄにおいては、四角柱からなるリブ４５０ｄ１および徐々にリブ形状が大きくなるリブ４５０ｄ２からなる。リブ４５０ｄ２は、リブ４５０ｄの縦横方向いずれにも大きくなる形状（四角錐）である。
【００７０】
その結果、リブ４５０ｄ１が図６（ｄ）のスリット２５０ｄと嵌合し始めた場合において、互いに隙間があるのに対して、リブ４５０ｄ２がスリット２５０ｄと嵌合し始めた場合においてリブ４５０ｄ２が当接し、リブ４５０ｄとスリット２５０ｄとの間の隙間がなくなり、堅固に嵌合される。
【００７１】
また、図６（ａ），（ｂ）に示すように、オスハウジング４００のリブ４５０ａ，４５０ｂの間隔ａとリブ４５０ｅ，４５０ｆの間隔ｂとは、異なる値であり、さらにリブ４５０ａ，４５０ｂとリブ４５０ｅ，４５０ｆのテーパ形状は、全く異なる傾斜角で形成される。その結果、オスハウジング４００とメスハウジング２００との逆嵌合を確実に防止することができる。
【００７２】
次に、図７はオスハウジング４００の長方形溝４０２およびＴ字溝４０３と、メスハウジング２００の長方形リブ２０２およびＴ字リブ２０３との関係を示す模式図である。図７（ａ）はメスハウジング２００の長方形リブ２０２およびＴ字リブ２０３を示し、図７（ｂ）はオスハウジング４００の長方形溝４０２およびＴ字溝４０３を示し、図７（ｃ）はメスハウジング２００の長方形リブ２０２およびＴ字リブ２０３の他の例を示し、図７（ｄ）はメスハウジング２００の長方形リブ２０２およびＴ字リブ２０３のさらに他の例を示す。
【００７３】
図７（ａ），（ｂ）に示すように、Ｔ字リブ２０３およびＴ字溝４０２の関係においては、図中矢印ＲＴの方向の誤差を低減することができる。すなわち、Ｔ字リブ２０３の直角方向のリブの働きにより、矢印ＲＴの方向の誤差を低減することが可能となる。
【００７４】
また、図７（ｃ）に示すように、Ｔ字リブ２０３の代わりに十字リブ２０３ａを用いてもよく、図７（ｄ）に示すように、Ｔ字リブ２０３の代わりに台形リブ２０３ｂを用いてもよい。これらの場合においても、Ｔ字リブ２０３およびＴ字溝４０２の関係と同様に、図中矢印ＲＴの方向の誤差を低減することができる。
【００７５】
なお、本実施の形態においては、Ｔ字リブ２０３およびＴ字溝４０２、十字リブ２０３ａおよび十字溝（図示せず）、台形リブ２０３ｂおよび台形溝（図示せず）を例示したが、これに限定されず、他の任意のリブおよび溝形状を用いてもよい。
【００７６】
次に図８は、メスハウジング２００におけるがたつき防止リブ２８０について説明するための模式的説明図である。図８（ａ）はメスハウジング２００の一部を切り欠いた斜視図であり、図８（ｂ）は図８（ａ）の断面を模式的に示したものである。
【００７７】
まず、図８（ａ）に示すように、メスハウジング２００の内部には、がたつき防止リブ２８０が設けられている。このがたつき防止リブ２８０は、過度の振動が付与された場合に、過度にメスハウジング２００とオスハウジング４００との嵌合が、がたつくのを防止できるように設けられている。
【００７８】
すなわち、図８（ｂ）に示すように、メスハウジング２００のスリットリブ２０５ａ，〜，２０５ｄおよびスリット２５０ａ，〜，２５０ｉがオスハウジング４００の外形を外側から内側に圧力を加えて嵌合を保持するのに対し、がたつき防止リブ２８０は、過度の振動によるがたつきを防止するためのものである。したがって、メスハウジング２００にオスハウジング４００を嵌合させた場合にクリアランスが設けられていてもよい。
【００７９】
以上のように、本実施の形態に係る電気コネクタ１００においては、メスハウジング２００のスリットリブ２０５ａ，〜，２０５ｄがオスハウジング４００のスリット４０５ａ，〜，４０５ｄのテーパ形状に嵌挿され、スリット４０５ａ，〜，４０５ｄの角度変化率および幅変化率がスリットリブ２０５ａ，〜，２０５ｄの角度変化率および幅変化率よりも大きいため、スリット４０５ａ，〜，４０５ｄおよびスリットリブ２０５ａ，〜，２０５ｄ間に常時力が加えられる状態となる。すなわち、スリットリブ２０５ａ，〜，２０５ｄのスリット幅Ｈ１，Ｈ３が狭くなり、当該スリット４０５ａ，〜，４０５ｄに嵌挿される。それにより、スリット幅Ｈ１，Ｈ３が広がる方向に力が作用するため、堅固にメスハウジング２００およびオスハウジング４００とが固定される。さらに、スリット４０５ａ，〜，４０５ｄおよびスリットリブ２０５ａ，〜，２０５ｄの嵌合面をテーパ形状としているため、嵌合時における差込力を低減することができる。
【００８０】
その結果、メスハウジング２００およびオスハウジング４００を確実にリジット化することができ、高加速度の振動の環境下においても、メスハウジング２００およびオスハウジング４００の間の振動を防止することができる。したがって、メスハウジング２００およびオスハウジング４００の間の磨耗を抑止し、第１接続端子２０１ａ，２０１ｂおよび第２接続端子４０１ａ，４０１ｂの接続を確実に保持することができる。
【００８１】
また、オスハウジング４００の矩形状の角部にスリット４０５ａ，〜，４０５ｄが形成され、メスハウジング２００の角部に、スリットリブ２０５ａ，〜，２０５ｄが形成されることにより嵌合方向を軸とした回転方向のずれを防止することができるとともに、成形上のメスハウジング２００およびオスハウジング４００の強度を高くすることができる。
【００８２】
さらに、メスハウジング２００およびオスハウジング４００の断面を矩形状とすることで、メスハウジング２００およびオスハウジング４００の嵌合方向を軸とした回転方向のずれを防止することができる。その結果、メスハウジング２００とオスハウジング４００とが固着連結され、耐高加速度環境下であってもメスハウジング２００およびオスハウジング４００の接合にずれが生じることを防止することができる。したがって、メスハウジング２００およびオスハウジング４００の接続端子２０１ａ，２０１ｂ，４０１ａ，４０１ｂの磨耗を防止することができる。
【００８３】
さらに、メスハウジング２００およびオスハウジング４００の嵌合時において、スリット４０５ａ，〜，４０５ｄおよびスリットリブ２０５ａ，〜，２０５ｄの嵌合に加えて、さらにスリット２５０ａ，２５０ｂ，２５０ｃ，２５０ｄおよびリブ４５０ａ，４５０ｂ，４５０ｃ，４５０ｄの嵌合により、メスハウジング２００とオスハウジング４００とがさらに固着連結され、耐高加速度環境下であってもメスハウジング２００およびオスハウジング４００の接合にずれが生じることを防止することができる。したがって、メスハウジング２００およびオスハウジング４００の接続端子の磨耗を確実に防止することができる。
【００８４】
また、一対のスリット２５０ａ，２５０ｂ間の距離ａと、一対のスリット２５０ｃ，２５０ｄ間の距離ｂとが異なるので、メスハウジング２００およびオスハウジング４００の逆嵌合をさらに防止することができる。
【００８５】
また、第１接続端子２０１ａ，２０１ｂの配設位置近傍に、長方形リブ２０２とＴ字リブ２０３とが形成されるので、メスハウジング２００およびオスハウジング４００の嵌合方向を軸として回転する方向（ねじれ方向）の振動を抑制することができる。その結果、メスハウジング２００およびオスハウジング４００の第１接続端子２０１ａ，２０１ｂおよび第２接続端子４０１ａ，４０１ｂにおける磨耗を確実に防止することができる。
【００８６】
また、オスハウジング４００とメスハウジング２００との嵌合時に、メスハウジング２００の案内溝２１０に係止された掛け止め金具３００の掛け止め部３１５が、メスハウジング２００の開口部２２２から、オスハウジング４００側に突出する。したがって、係り止め部３１５が、凸形状部４２０を超えて固定溝４１０に固定される。したがって、メスハウジング２００およびオスハウジング４００の嵌合が、経時変化により変化した場合でも、固定溝４１０の傾斜面４１０ａで係止されるので、傾斜面４１０ａの長さに応じた分だけ掛り止め部３１５を係止し続けることができ、誤差または寸法公差を吸収することができる。その結果、電気コネクタ１００は、誤差または寸法公差があっても長期的に一体性を保持することができ、長期において安定した導通を行うことができる。
【００８７】
本実施の形態に係る電気コネクタ１００においては、第１接続端子２０１ａ，２０１ｂが第１接続端子に相当し、メスハウジング２００がメス型の第１ハウジングに相当し、第２接続端子４０１ａ，４０１ｂが第２接続端子に相当し、オスハウジング４００がオス型の第２ハウジングに相当し、案内溝２１０が第１ハウジングに形成された溝に相当し、掛け止め金具３００が掛け止め金具に相当し、スリットリブ２０５ａ，２０５ｂ，２０５ｃ，２０５ｄがスリットリブに相当し、溝がスリット４０５ａ，４０５ｂ，４０５ｃ，４０５ｄに相当し、スリット２５０ａ，〜，２５０ｉが複数の凹溝に相当し、リブ４５０ａ，〜，４５０ｉが凸形状に相当し、Ｔ字リブ２０３が十字形状、Ｔ字形状および台形形状のうち少なくとも一つを含むリブ形状に相当し、掛り止め部３１５が凸形状の係止部に相当し、掛け止め金具３００が掛け止め金具に相当し、開口部２２２が突出可能な開口部に相当し、傾斜面４１０ａが所定の傾斜面に相当する。
【００８８】
なお、本実施の形態においては、メスハウジング２００に案内溝２１０を設けて掛け止め金具３００をプリロード状態で保持しつつ、オスハウジング４００と嵌合する場合について説明したが、これに限定されず、オスハウジング４００に案内溝を設けて掛け止め金具３００をプリロード状態で保持させてもよい。
【００８９】
また、案内溝２１０および掛け止め金具３００の形状は、本実施の形態に限定されるものではなく、掛け止め金具３００がプリロードを作用させる形状であればよい。
【００９０】
さらに、本実施の形態においては、電気コネクタ１００は２極であるとしたが、これに限定されず、他の任意の数の極数を有してもよい。例えば、第１ハウジングに支持される第１接続端子、第２ハウジングに支持される第２接続端子は、一対として備えられるものでなくてもよく、適宜複数備えられるものであってもよい。
【００９１】
また、掛け止め金具３００の掛り止め部３１５は、一対に設けられるが、これに限定されず、他の任意の個数の掛け止め部を有してもよい。さらに、掛け止め金具３００を複数の部材からなることとしてもよい。
【００９２】
さらに、本実施の形態における電気コネクタ１００は、高加速度振動を生じる動力源の近傍のみならず、他の任意の使用環境におけるコネクタとして用いることができる。例えば、後述するメスハウジングおよびオスハウジングの材質を最適に選択することにより、耐久性、耐候性、防水性等を持たせることにより、あらゆる環境下における他のコネクタとしても用いることができる。
【図面の簡単な説明】
【００９３】
【図１】本発明の一実施の形態に係る電気コネクタの一例を示す模式的斜視図
【図２】掛け止め金具を備えたメスハウジングの形状を説明するための模式図
【図３】オスハウジングの形状を説明するための模式図
【図４】掛け止め金具の掛け止め部が固定溝と嵌合する場合の詳細を説明するための模式的断面図
【図５】メスハウジングにおけるスリットリブおよびオスハウジングにおけるスリットを説明するための模式図
【図６】メスハウジングのスリットおよびの詳細の一例を示す模式的説明図
【図７】オスハウジングの長方形溝およびＴ字溝と、メスハウジングの長方形リブおよびＴ字リブとの関係を示す模式図
【図８】メスハウジングにおけるがたつき防止リブについて説明するための模式的説明図
【符号の説明】
【００９４】
２０１，２０１ｂ  第１接続端子
４０１，４０１ｂ  第２接続端子
２００  メスハウジング
２１０  案内溝
２２２  開口部
３００  掛け止め金具
３１５  掛け止め部
４００  オスハウジング
４１０  固定溝
α、β  傾斜面
【図１】
2008071677.tif 000003
【図２】
2008071677.tif 000004
【図３】
2008071677.tif 000005
【図４】
2008071677.tif 000006
【図５】
2008071677.tif 000007
【図６】
2008071677.tif 000008
【図７】
2008071677.tif 000009
【図８】
2008071677.tif 000010